(57)【特許請求の範囲】
【請求項１】
中心にボスを立設した有底円筒状ロータ本体と、該ロータ本体の前記ボスに一体的に嵌着される円板と、該円板の周縁に装着された複数個のラックとを備え、前記各ラックは、その内周面に溝を有し、該溝を前記円板の周縁に嵌合させるとともに、該ラックおよび前記円板の嵌合部分に形成された長孔にピンを嵌挿させることによって、前記円板の周縁に前記ロータ本体の半径方向へ移動可能に装着され、前記ロータ本体を回転させた際に、前記ロータ本体の回転に伴う遠心力によって、前記各ラックを前記ロータ本体の内周面に圧接定置させるようにしたことを特徴とする遠心分離機用ロータ。
【請求項２】
前記ロータ本体の中心に立設したボスの外周面に上下方向に延びるスプラインを形成するとともに、前記円板の中心にスプライン穴を形成し、前記円板のスプライン穴を前記ボスのスプラインに落とし込むことによって前記円板を前記ボスに嵌着させるようにしたことを特徴とする請求項１に記載の遠心分離機用ロータ。
【発明の詳細な説明】
【０００１】
【発明の属する技術分野】
本発明は、遠心分離機用ロータに関するもので、詳しくは、ロータの構造に関するものである。
【０００２】
【従来の技術】
図３に示した従来の遠心分離機５０では、モータ５１が筐体５２の内部に形成したフランジ５２ａに弾性体５３を介して設置されている。そして、このモータ５１の駆動軸５１ａにはロータ５４が着脱自在に係合される。遠心分離機に使用されているロータ５４としては、図３に示したように、円盤状のロータ本体５５の上面周縁にチューブ挿入孔５５ａを放射状にかつ傾斜させて一体に形成したものがある。
【０００３】
【発明が解決しようとする課題】
ところで、上記ロータ５４は、アルミニウムブロックを円盤状に切削加工し、次いで、チューブ（試験管）挿入孔５５ａを穿設している。したがって、加工が煩雑でコストが高くなる。しかも、ロータ５４にチューブ挿入孔５５ａを形成するための部分の厚みが必要となり、重量が増大してそれだけモータ１の容量も必要になる。軽量化を図るためには、図３におけるロータ５４の中心部（モータ５１の駆動軸５１ａに取付ける部分）とチューブ挿入孔５５ａを形成するための部分とを除いた部分を切削すればよいが、ロータ５４の形状が複雑になり、それだけ加工が煩雑になってしまう。また、他の種類のチューブに対応させるためには、他のチューブに対応したチューブ挿入孔５５ａを備えたロータ５４をそれぞれ用意しなくてはならず、そのための費用も嵩んでしまう。
【０００４】
そこで、本発明の目的は、加工が容易でかつ軽量化が図れ、さらにチューブの種類に容易かつ安価に対応させることができる遠心分離機用ロータを提供することにある。
【０００５】
【課題を解決するための手段】
本発明の請求項１の遠心分離機用ロータでは、中心にボスを立設した有底円筒状ロータ本体と、該ロータ本体の前記ボスに一体的に嵌着される円板と、該円板の周縁に装着された複数個のラックとを備え、前記各ラックは、その内周面に溝を有し、該溝を前記円板の周縁に嵌合させるとともに、該ラックおよび前記円板の嵌合部分に形成された長孔にピンを嵌挿させることによって、前記円板の周縁に前記ロータ本体の半径方向へ移動可能に装着され、前記ロータ本体を回転させた際に、前記ロータ本体の回転に伴う遠心力によって、前記各ラックを前記ロータ本体の内周面に圧接定置させるようにしている。
【０００６】
この発明の遠心分離機用ロータによれば、ラックをロータ本体の内周面で受け止めるので、ロータ本体は有底円筒状の単純な構造でよく、したがってロータの軽量化が図れ、かつ安価になる。
【０００８】
また、この発明の遠心分離機用ロータでは、円板の周縁にラックを装着させた後に、円板をロータ本体の中心部に嵌着させる。この状態で、ロータ本体を回転駆動させると、ラックは遠心力によって半径方向外方へ移動し、ロータ本体の内周面に当接して受け止められる。
即ち、この発明の遠心分離機用ロータでは、円板はラックを位置決めすればよく、ラックを保持する程の強度を必要としない。そして、ラックはロータ本体を回転駆動することによって生じる遠心力によってロータ本体の内周面によって受け止められる。したがって、ロータ本体の強度を十分に保てばよく、ロータの軽量化が図れる。
また、遠心分離作業においても、予め他の箇所でチューブをラックに装填しておき、該ラックを装着させた円板をロータ本体に装着すればよいため、重量が軽く、したがって作業が容易になる。
【０００９】
本発明の請求項２の遠心分離機用ロータでは、請求項１において、前記ロータ本体の中心に立設したボスの外周面に上下方向に延びるスプラインを形成するとともに、前記円板の中心にスプライン穴を形成し、前記円板のスプライン穴を前記ボスのスプラインに落とし込むことによって前記円板を前記ボスに嵌着させるようにしている。
【００１０】
この発明の遠心分離機用ロータでは、円板の中心をロータ本体の中心に立設したボスに落とし込むことによって、円板をロータ本体に嵌着させることができるので、装着作業が極めてよい。
【００１３】
【発明の実施の形態】
図１は本発明に係るロータの一実施の形態を示したもので、該ロータを備えた遠心分離機の要部を示した分解斜視図であり、図２はそのロータを組み付けた状態を示した断面図である。なお、遠心分離機の図示しない他の部分は、従来のものと同様である。
【００１４】
この遠心分離機のロータ１０は、ロータ本体１１，円板１２，ラック１３等から構成されている。
【００１５】
ロータ本体１１は有底円筒状を成し、中央に内方に突出するボス１４を備えている。このボス１４の周面には、その軸芯と平行なスプライン１５が形成されている。また、ボス１４には、図２に示したように、ロータ本体１１の底壁１１ａに開口を有する穴１６が形成され、さらに該穴１６の開口部に６角形状の凹部１７が形成されている。また、ボス１４には、穴１６を上面に貫通するボルト挿通孔１８が形成されている。
一方、モータ駆動軸１９には、周囲に６角形状の凸部２０が形成され、また先端面に雌ねじ穴２１が形成されている。
そして、ロータ本体１１の穴１６をモータ駆動軸１９に嵌合させると、凹部１７がモータ駆動軸１９の凸部２０に嵌合する。次いで、ボルト２２をロータ本体１１のボルト挿通孔１８から挿通させ、先端をモータ駆動軸１９の雌ねじ穴２１に螺合させて、ロータ本体１１をモータ駆動軸１９に締結する。したがって、ロータ本体１１は、その凹部１７とモータ駆動軸１９の凸部２０との係合によってモータ駆動軸１９に対してその回転方向に拘束される。
【００１６】
上記円板１２は、その中心部に上記ボス１４のスプライン１５に対応したスプライン孔２３を有しており、周縁に４組の孔２４を有している。各組の孔２４は、１／４円（中心各４５°）の範囲内に２つ形成され、それらは長孔で互いに平行に形成されている。
そして、この円板１２はそのスプライン孔２３をロータ本体１１のボス１４のスプライン１５に嵌合させることによって、ロータ本体１１に対してその回転方向に拘束される。
【００１７】
上記ラック１３は、環状ドーナツ形を略１／４に切断した形状に形成されている。そして、その円弧状のラック１３の内周面には、該内周面に開口する環状の溝２５が形成されている。そして、この環状の溝２５を画成する上下の舌片２６，２７には、それらを貫通する２つの孔２８が形成されている。これらの孔２８は、上記円板１２の孔２４に対応した位置に形成されている。
また、上記ラック１３は上面に内方へ向けて形成された斜面２９を有しており、該斜面２９に６つのチューブ収容孔３０が形成されている。
そして、このラック１３は、その溝２５を円板１２の周縁に嵌合させ、ラック１３の孔２８と円板１２の孔２４とを合致させ、それらの孔２８，２４にスプリングピン３１を挿入させることによって、円板１２に保持される。このようにして、円板１２に保持されたラック１３は、円板１２の孔２４が長孔に形成されているため、円板１２の半径方向へ移動が可能である。
【００１８】
このように構成された遠心分離機では、円板１２の周縁にラック１３の溝２５を嵌合させて装着させ、ラック１３および円板１２の孔２８，２４にスプリングピン３１を挿入してラック１３を円板１２の周縁に保持させ、それらのラック１３にチューブＡを装填した後に、図２に示したように、円板１２のスプライン孔２３をロータ本体１１のボス１４のスプライン１５に嵌着させる。
この状態で、ロータ本体１１を回転駆動させ、ラック１３に遠心力が作用すると、ラック１３のスプリングピン３１が円板１２の長孔２４に沿って半径方向外方へ移動し、それによってラック１３はロータ本体１１の内周面に当接して受け止められる。
即ち、この発明の遠心分離機では、円板１２はラック１３の位置決めをすればよく、ラック１３を保持する程の強度を必要としない。したがってロータ１０の軽量化が図れる。
【００１９】
なお、上記実施の形態では、ラック１３をスプリングピン３１によって円板１２に装着させているが、例えばラック１３の舌片２７の孔２８に雌ねじを形成し、スプリングピン３１に替えてねじを使用し、該ねじをラック１３の舌片２６の孔２８，円板１２の孔２４に挿通させて、先端を舌片２７の孔２８に螺合させるようにしてもよく、要はラック１３がロータ本体１１の内周面に沿って定置され、かつロータ本体１１に対してその周方向に拘束され、遠心力が作用した際に、ラック１３がロータ本体１１の内周面に当接するように半径方向外方へ移動し得るように配設されればよい。
【００２０】
また、上記実施の形態では、円板１２を使用し、該円板１２の周縁に連結して環状のラックアッセンブリを構成しているが、円板１２を採用することなく、ラック１３の側面を互いに連結して環状に組み付け、それをロータ本体１１の内周面に沿って位置決めしてもよい。その場合には、各ラック１３がロータ本体１１の内周面に当接するようにそれぞれ独立して半径方向外方へ移動し得るようにすることが好ましく、またストッパ等の手段によってラック１３をロータ本体１１に対してその周方向に拘束することが好ましい。
【００２１】
【発明の効果】
上記したように、本発明の請求項１の遠心分離機用ロータでは、中心にボスを立設した有底円筒状ロータ本体と、該ロータ本体の前記ボスに一体的に嵌着される円板と、該円板の周縁に装着された複数個のラックとを備え、前記各ラックは、その内周面に溝を有し、該溝を前記円板の周縁に嵌合させるとともに、該ラックおよび前記円板の嵌合部分に形成された長孔にピンを嵌挿させることによって、前記円板の周縁に前記ロータ本体の半径方向へ移動可能に装着され、前記ロータ本体を回転させた際に、前記ロータ本体の回転に伴う遠心力によって、前記各ラックを前記ロータ本体の内周面に圧接定置させるようにしている。
したがって、この発明の遠心分離機用ロータによれば、ラックをロータ本体の内周面で受け止めるので、ロータ本体は有底円筒状の単純な構造でよく、したがってロータの軽量化が図れ、かつ安価になる。また、チューブをロータに装填する場合には、予めラックにチューブを装填しておき、そのラックをロータ本体に収容させることができ、軽量なラックのみを移動させればよいため作業性がよくなるばかりでなく、別作業でラックにチューブを装填できるので、作業の効率化が図れる。
【００２２】
また、本発明の請求項１の遠心分離機用ロータでは、円板はラックを位置決めすればよく、ラックを保持する程の強度を必要としない。そして、ラックはロータ本体を回転駆動することによって生じる遠心力によってロータ本体の内周面によって受け止められるので、ロータ本体の強度を十分に保てばよく、ロータの軽量化が図れる。また、遠心分離作業においても、予め他の箇所でチューブをラックに装填しておき、該ラックを装着させた円板をロータ本体に装着すればよいため、作業が極めて容易になる。
【００２３】
また、本発明の請求項２の遠心分離機用ロータでは、請求項１において、前記ロータ本体の中心に立設したボスの外周面に上下方向に延びるスプラインを形成するとともに、前記円板の中心にスプライン穴を形成し、前記円板のスプライン穴を前記ボスのスプラインに落とし込むことによって前記円板を前記ボスに嵌着させるようにしている。
したがって、この発明の遠心分離機用ロータでは、ラックをロータ本体に装着させる作業が極めてよい。
【図面の簡単な説明】
【図１】本発明に係るロータを備えた遠心分離機の一実施の形態を示した分解斜視図である。
【図２】図１におけるロータを組み付けた状態を示した断面図である。
【図３】従来のロータを備えた遠心分離機を示した概念的断面図である。
【符号の説明】
１０      ロータ
１１      ロータ本体
１２      円板
１３      ラック
１４      ボス
１５      スプライン
１６      穴
１７      凹部
１８      ボルト挿通孔
１９      モータ駆動軸
２０      凸部
２１      雌ねじ穴
２２      ボルト
２３      スプライン孔
２４      孔
２５      溝
２６，２７      舌片
２８      孔
２９      斜面
３０      チューブ収容孔
３１      スプリングピン
Ａ        チューブ
【図１】
0004582842.tif 000002
【図２】
0004582842.tif 000003
【図３】
0004582842.tif 000004